(57)【要約】      （修正有）【課題】製品内部の熱を逃がす通気用ダクト部にスピーカーを取りつけることで製品の小型化を図った場合でも、放熱効果を保つ撮像機器を提供する。【解決手段】撮像機器は、本体外装に吸気口２２と排気口１２を有し、吸気口から排気口にかけて、通風路を形成するダクト部（前ダクト５０、後ダクト）と、吸気口から外気を取り込み、排気口から空気を放出する為のファン７０と、発熱素子が実装された基板４０を備え、基板の実装面とダクトは略平行に配置され、ダクトの一部は基板の発熱部と当接され、ダクトにはスピーカー１１０がダクト内部に向け放音可能に備えられている。【選択図】図６
2017032884.tif 000002
【特許請求の範囲】
【請求項１】
本体外装に吸気口と排気口を有し、吸気口から排気口にかけて、通風路を形成するダクト部と、吸気口から外気を取り込み、排気口から空気を放出する為のファンと、発熱素子が実装された基板を備え、前記基板の実装面と前記ダクトは平行に配置され、前記ダクトの一部は前記基板の発熱部と当接され、前記ダクトにはスピーカーがダクト内部に向け放音可能に備えられていることを特徴とする撮像機器。
【請求項２】
前記発熱素子が実装された基板には、外部機器との接続もしくは電源供給、外部からのプラグが接続される接続端子を少なくとも一つは備え、前記接続端子は外観カバーから、端子先端を露出しており、前記接続端子は前記排気口の近傍に配置され、かつ前記スピーカーは前記接続端子とダクトと基板に囲まれた空間に備えていることを特徴とする請求項１に記載の撮像機器。
【請求項３】
基板温度取得手段と、ファン回転数制御部を備え、
前記基板温度に応じた、ファン回転数を定めており、記録中に基板温度情報を取得し、その温度に応じたファン回転数でファンを駆動し、
画像及び音声記録部を備え、
あらかじめ、複数の音源が記録されており、前記音源はファン回転時に発生する騒音に対する打ち消し音が記録されており、録画動作中において、ファンが駆動されている時、ファンの回転数に応じ、選択的にあらかじめ定められた打ち消し音が放音されることを特徴とする請求項１に記載の撮像機器。
【請求項４】
ヘッドフォン用の端子を備え、記録画像再生時にヘッドフォンプラグが該端子に挿された事を検出した場合は、スピーカーからの放音を中止し、ヘッドフォンから再生音を放音し、撮影中でファンが駆動している場合、ヘッドフォンプラグが該端子に挿された事を検出した際、ヘッドフォンからは記録中の音を放音し、スピーカーからはファン回転数に応じた打ち消し音を放音することを特徴とする請求項３に記載の撮像機器。
【発明の詳細な説明】
【技術分野】
【０００１】
本発明は、冷却用ファンと放音用のスピーカーを内蔵し、小型化と利便性に優れた撮像機器に関する。
【背景技術】
【０００２】
一般民生用の小型機器、例えばデジタルスチルカメラ（以下、必要がなければ単にカメラという。）等では、構成デバイス等が機能、性能ともに向上、進歩を続けており、またデバイスのサイズもより小型化へと進んでいる。すなわち、市場ではより小さくて携帯性の良いカメラがユーザーに受け入れられ、開発が望まれている傾向がある。
【０００３】
そうした状況の中で、画像処理等の機能部品として用いられている電子デバイス等は、小型でかつ処理速度を向上させる等の高性能化しており、それに伴ってカメラ内部の発熱量も増大している。また、カメラも小さいながらいろいろな機能を持たせることで差別化を図るカメラメーカーの意図もあり、より高機能化している反面、消費電力の増大等で、発熱する傾向が高くなっている。
【０００４】
そのため、カメラ本体内部で発生した熱に起因して内蔵されている電子デバイスの誤動作が発生したり、光学部品への影響、例えばレンズの鏡銅系が熱により部品精度が狂ったりする等も懸念されるようになってきている。
【０００５】
また、マイクやスピーカーの機能部品を有するカメラ等では、通気孔のようなスリットグリル形状備えた製品もあるが本来通気としての目的のために設けられたものではなく、マイク及びスピーカーの機能を引き出す為のものである。
【０００６】
特許文献１には、製品内部の熱を逃がす通気用スリット部にスピーカーを取りつけることで製品の小型化を図った製品が提案されている。
【先行技術文献】
【特許文献】
【０００７】
【特許文献１】特開２００３−２４９７８２号公報
【発明の概要】
【発明が解決しようとする課題】
【０００８】
しかしながら、上記特許文献１では、内部の熱を逃がす為の通風スリットをスピーカーで塞いでしまう為に、放熱効果を下げる可能性があった。
【課題を解決するための手段】
【０００９】
本発明に係る撮像機器は、
本体外装に吸気口と排気口を有し、吸気口から排気口にかけて、通風路を形成するダクト部と、吸気口から外気を取り込み、排気口から空気を放出する為のファンと、発熱素子が実装された基板を備え、前記基板の実装面と前記ダクトは略平行に配置され、前記ダクトの一部は前記基板の発熱部と当接され、前記ダクトにはスピーカーがダクト内部に向け放音可能に備えられていることを第一の特徴とする。
【００１０】
また、前記第一の特徴を有する撮像機器において、
前記発熱素子が実装された基板には、外部機器との接続もしくは電源供給等、外部からのプラグが接続される接続端子を少なくとも一つは備え、前記接続端子は外観カバーから、端子先端を露出しており、前記接続端子は前記排気口の近傍に配置され、かつ前記スピーカーは前記接続端子とダクトと基板に囲まれた空間に備えていることを第二の特徴とする。
【００１１】
また、前記第一の特徴を有する撮像機器において、
基板温度取得手段と、ファン回転数制御部を備え、
前記基板温度に応じた、ファン回転数を定めており、記録中に基板温度情報を取得し、その温度に応じたファン回転数でファンを駆動し、
画像及び音声記録部を備え、
あらかじめ、複数の音源が記録されており、前記音源はファン回転時に発生する騒音に対する打ち消し音が記録されており、録画動作中において、ファンが駆動されている時、ファンの回転数に応じ、選択的にあらかじめ定められた打ち消し音が放音されることを第三の特徴とする。
【００１２】
また、前記第三の特徴を有する撮像機器において、
ヘッドフォン用の端子を備え、記録画像再生時にヘッドフォンプラグが該端子に挿された事を検出した場合は、スピーカーからの放音を中止し、ヘッドフォンから再生音を放音し、撮影中でファンが駆動している場合、ヘッドフォンプラグが該端子に挿された事を検出した際、ヘッドフォンからは記録中の音を放音し、スピーカーからはファン回転数に応じた打ち消し音を放音することを第四の特徴とする。
【発明の効果】
【００１３】
本発明に係る撮像機器によれば、スピーカーを放熱ダクトに取りつけることで、外観部にスピーカー取り付けのスペースを必要としないため、小型化が可能となる。また、ファン騒音が伝わるダクトの中に、スピーカーからファン騒音の打ち消し音を放音できる。このため、ファン騒音と打ち消し音が同じ空気の流れにのることで騒音打ち消しの効果が高くなる。
【図面の簡単な説明】
【００１４】
【図１】本発明実施形態の撮像機器の外観を示した前方斜視図
【図２】本発明実施形態の撮像機器の正面図
【図３】本発明実施形態の撮像機器の外観を示した後方斜視図
【図４】本発明実施形態の撮像機器の把持部を除いたＬ側の側面図
【図５】本発明実施形態の撮像機器の動作制御の構成を示すブロック図
【図６】本発明実施形態の撮像機器の冷却構造を示した断面模式図
【図７】本発明実施形態の冷却構造の分解斜視図
【図８】本発明実施形態の冷却構造の分解斜視図
【図９】本発明実施形態のファンの斜視図
【図１０】本発明実施形態のスピーカーの動作制御図
【図１１】本発明実施形態の『キャンセル音選択』に関する制御図
【図１２】本発明実施形態のヘッドフォン接続の際の制御図
【図１３】本発明実施形態の温度テーブル
【発明を実施するための形態】
【００１５】
以下、本発明実施形態に掛かる撮像機器の好ましい形態について詳述する。
【００１６】
説明においては、被撮影者側を前方とし、撮影者側を後方とする。また、左右に関しては被撮影者から見て右側をＲ側、左側をＬ側とする。なお、本発明実施形態の関係する部分を中心に説明を行い、発明と直接関連しない部分は省略している。
【００１７】
≪外観説明≫
図１は本発明実施形態の撮像機器の外観を示した前方斜視図である。図２は本発明実施形態の撮像機器の正面図である。図３は本発明実施形態の撮像機器の外観を示した後方斜視図である。
【００１８】
図１〜図３を用いて外観の説明をする。
【００１９】
カメラ１は大きく分けて本体部２と把持部３を接続部４により連結した形となっている。
【００２０】
本体部２の上面中央にはマイク部９０を備え、その後方に周辺機器類が固定可能なアクセサリーシュー１４を備えている。上面の左右端近傍にはネックストラップが取り付け可能なストラップ金具１５，１６を備えている。
【００２１】
本体部２の正面略中央にはレンズ外装部５が前方に突出している。
【００２２】
レンズ外装部５の外周にはＺＯＯＭリング１７とフォーカスリング１８を備えている。
【００２３】
本体部２の背面には中央に画像表示部２１０を有する表示部１９を備えており、その下には後述するメモリーカード５１９を挿抜するためのカード蓋２０を備えている。
【００２４】
把持部３の上面前方にはトリガーボタン１３０を備えている。
【００２５】
本体部２のＲ側のレンズ外装部５の後方の一部円筒形状部６には撮影時の各種設定を行うモード切り替え部７ａ、電源ボタン７ｂ、操作部７ｃが上下に配置されている。
【００２６】
さらにモード切り替え部７ａの後方には端子類が上下に連設されている。
【００２７】
上部からヘッドフォン端子８、ＨＤＭＩ(登録商標）端子９、ＵＳＢ端子１０、外部電源端子１１を備えている。
【００２８】
前記端子類の後方には上下に長細い矩形状の本体排気口１２を備えており、本体排気口１２は複数のリブが連設され、異物の混入を防いでいる。
【００２９】
図４は把持部３を外した状態での本体部２のＬ側を見た側面図である。本体部２のＬ側には、円筒状の接続部４の後方に上下に長細い矩形状の本体吸気口２２を備えており、前記本体排気口１２と同様に複数のリブによって異物の混入を防いでいる。
【００３０】
≪動作制御説明≫
図５は本発明実施形態のカメラ１の動作制御の構成を示すブロック図である。
【００３１】
カメラ１はフォーカス及びズーム等の光学制御系を含む光学レンズ群及び絞りからなるレンズ部３０、後述する撮像素子３１及び撮像基板３２を含むメイン撮像部５０２、カメラ信号処理部５０３、圧縮伸張処理部５０４、画像表示部２１０、記録再生処理部５０６、メモリーカード５１９を制御するカード制御部５０７、大容量内蔵メモリー５２０を制御する大容量内部メモリー制御部５０８、音声信号処理部５１０、メモリー５１１、メモリー制御部５１２、操作部５１４、外部装置５２１との接続で使うデジタルＩ／Ｆ５１５、外部装置５２２との接続を行う入出力部５１６、ＧＰＳ受信部５２４、ＧＰＳ信号処理部５２５、電源制御部５１７、バッテリー５２３、さらに本体の冷却用にファン７０を備えている。
【００３２】
また、各機能ブロックはそれぞれデータバス５１８を介して互いにデータ通信可能に接続されている。
【００３３】
このようなカメラ１においてメモリー５１１はプログラム記憶領域とデータ作業領域を有し、データバス５１８を介して各機能ブロックでタイムシェアリングして使用され、メモリー制御部５１２により制御及び管理されている。
【００３４】
ＣＰＵ５１３は所定のプログラムを実行すること等により、カメラ１全体を統括制御する中央演算処理回路である。
【００３５】
操作部５１４は前記タッチパネル付きの画像表示部２１０や電源ボタン７ｂ及びトリガーボタン１３０等を含んでいる。
【００３６】
前述したが、電源ボタン７ｂは押圧操作することで電源のＯＮ／ＯＦＦを行うトリガーボタン１３０は押圧操作することで動画撮影のスタート／ストップを行う事が可能である。
、その他の操作に関しては、タッチパネル付き画像表示部２１０でも行うことができる。
【００３７】
このように、前記操作部５１４はユーザーからのキー操作などに基づいて、ＣＰＵ５１３に対して動作指示する機能を有する。
【００３８】
デジタルＩ／Ｆ５１５は例えば図示しないＵＳＢ等の規格に従い外部装置５２１と信号を授受する。
【００３９】
メモリーカード５１９はＳＤカードやコンパクトフラッシュ（登録商標）等の脱着式のフラッシュメモリーであり、撮影データ及び音声データが記録される。
【００４０】
電源制御部５１７はバッテリー検出回路、ＤＣ−ＤＣコンバータ、通電するブロックを切り替えるスイッチ回路等により構成されており、バッテリー５２３の装着の有無、電池の種類、電池残量の検出を行う。バッテリー５２３はリチウムイオン等であり、カメラ１に電源を供給する。
【００４１】
ＧＰＳ受信部５２４はＧＰＳ衛星から位置と時間のデータを取得する。このデータは、ＧＰＳ信号処理部５２５にて処理され、ＧＰＳ受信部５２４の位置やその位置における時刻を算出する。このカメラ１では算出した位置情報や時刻情報を画像データとともに大容量内蔵メモリー５２０またはメモリーカード５１９に書き込む。再生時には、この位置情報や時刻情報を参照することができ、データや記憶の整理に利用できる。
【００４２】
次にカメラ１の撮影動作及び記録動作、再生動作について説明する。
【００４３】
例えば操作部５１４により撮影動作、記録動作が指示された場合、被写体からの光はレンズ部３０により所定の明るさ、画角、及びフォーカス等が制御された光学信号となってメイン撮像部５０２に対して入力される。メイン撮像部５０２は入力光学信号を電気信号に変換し、カメラ信号処理部５０３に出力する。カメラ信号処理部５０３はこの電気信号をデジタル画像信号に変換する。
【００４４】
そしてこの画像信号に対して、色分離、階調補正、及びホワイトバランス調整などの信号処理を施したのち出力する。
【００４５】
音声信号処理部５１０はマイク部９０より入力された音声信号を所定レベルにゲインコントロールしてデジタル化することで、音声データとして出力する。
【００４６】
圧縮伸張処理部５０４はカメラ信号処理部５０３から出力された画像データ及び音声信号処理部５１０から出力された音声データを所定の圧縮符号化方式により圧縮符号化する。圧縮伸張処理部５０４で処理された圧縮符号化対象の撮影データは画像表示部２１に表示され必要に応じてカメラ１の動作状況も表示する。
【００４７】
記録再生処理部５０６は圧縮伸張処理部５０４で得られた圧縮符号化後のデータに対して、エラー訂正符号化処理や変調処理等を施し、さらに同期、ＩＤ、ＧＰＳ受信部５２４及びＧＰＳ信号処理部５２５から算出した位置情報や時刻情報などのデータを付加して記録に適した形態に変換した後、大容量内蔵メモリー５２０あるいはメモリーカード５１９等の記録媒体に記録する。この際、大容量内部メモリー制御部５０８は大容量内蔵メモリー５２０の記録制御を、カード制御部５０７はメモリーカード５１９の記録制御を行う。
【００４８】
一方、操作部５１４により再生動作が指示された場合、記録再生処理部５０６は、大容量内蔵メモリー５２０またはメモリーカード５１９から読み出したデータから元のデジタルデータを検出し、エラー訂正及び復調等の処理を施す。また、ＰＬＬ回路によりこの再生データに同期したクロックを生成する。
【００４９】
圧縮伸張処理部５０４は、記録再生処理部５０６より出力されたデータに対して、所定の圧縮符号化方式に対応した伸張処理を施し、圧縮符号化前の撮影データ及び音声データを取得する。画像表示部２１は圧縮伸張処理部５０４で得られた再生データを表示する。
【００５０】
また、操作部５１４によりデジタルＩ／Ｆ５１５からの入力データを記録する指示があった場合、ＣＰＵ５１３はデジタルＩ／Ｆ５１５により、外部装置５２１からの画像データあるいは音声データをデジタル信号の状態で入力し、記録再生処理部５０６に送る。この際、外部装置５２１からの画像データ、音声データはすでに符号化されているものとし、記録再生処理部５０６は前述のようにこの入力データに対して記録に必要な処理を施して大容量内蔵メモリー５２０やメモリーカード５１９などの記録媒体に記録する。
【００５１】
また操作部５１４により、入出力部５１６からの入力信号を記録する指示があった場合、ＣＰＵ５１３は入出力部５１６を制御し、外部装置５２２から出力された画像、音声信号を入力する。
入出力部５１６は外部装置５２２から出力された画像、音声信号をデジタルデータに変換してメモリー５１１に出力する。ＣＰＵ５１３はこのメモリー５１１に記憶された画像、音声データを圧縮伸張処理部５０４に出力して圧縮符号化し、記録再生処理部５０６に送る。
【００５２】
記録再生処理部５０６は前述のようにこの符号化されたデータに対して記録に必要な処理を施して大容量内蔵メモリー５２０やメモリーカード５１９などの記録媒体に記録する。
【００５３】
また、電源をＯＮにすると、ファン７０は駆動を開始して、後述するダクト部８００を介して給排気を行う。
【００５４】
スピーカー制御部６００により、スピーカーからの音声出力の制御を行う。
再生時の動画の音声出力の他にも、各種操作音、警告音、さらには後述する、記録時においてファン騒音を低減するためのキャンセル音の制御もこのスピーカー制御部６００にて行う。
【００５５】
≪冷却構造の説明≫
本体内部の冷却構造について説明する。
【００５６】
図６は本体部２の冷却構造を判りやすく示した断面模式図である。図７、図８は冷却構造の分解斜視図である。
【００５７】
レンズ外装部５には図示しないレンズ群を内包するレンズ部３０が挿設され、レンズ部３０の後端には撮像素子３１を実装した撮像基板３２が具設される。
【００５８】
撮像基板３２とメイン基板４０との電気接続はワイヤー３３によって行われる。
【００５９】
メイン基板４０の片面には電気部品４１ａ、電気部品４１ｂが実装されている。
【００６０】
カメラ１に電源を投入し、駆動を始めると、前記電気部品４１ａ、電気部品４１ｂは熱を発し、放熱せずに長時間作動すると、電気部品が保証温度以上の高温となり性能劣化を起こす可能性がある。
【００６１】
よって、積極的な冷却が必要となる。本実施例では強制空冷方式を採用している。
【００６２】
図８に示すようにダクト部８００は前ダクト５０と後ダクト６０にファン７０を内包した構造となる。
【００６３】
前ダクト５０と後ダクト６０の素材は熱伝導率の高い材質であり、例えばアルミニウムなどである。
【００６４】
図９に、ファン７０の斜視図を示す。ファン７０は前後に薄い扁平形状をしており内部には複数の羽が円状に配置した放熱フィン７３を備える、前面側には中央付近にファン吸気口７１を備え、一側面のみファン排気口７２として開口されている。ファン７０に備えた図示しないモーターを駆動することで、放熱フィン７３が回転する。この時ファン吸気口７１から入った空気は９０度向きを変えてファン排気口７２から風の流れを示す矢印８０の向きに排気される。
【００６５】
前ダクト５０には放熱リブ５１が本体吸気口２２から本体排気口１２に向けて形成されている。さらに前記放熱リブ５１は上下に複数枚が配設されている。
【００６６】
前ダクト５０の外形について説明する。
【００６７】
正面から見た時、前ダクト５０は矩形状をなした箱形状となっている。メイン基板４０側は面５２と面５３が前後に段差を設けた形状になっている。面５２には素子当接面５２ａ，素子当接面５２ｂが凸形状をなしており、メイン基板４０をねじ１００ａ，ねじ１００ｂ，ねじ１００ｃ，ねじ１００ｄで前ダクト５０のボス５５ａ，ボス５５ｂ，ボス５５ｃ，ボス５５ｄに螺合した際、電気部品４１ａが素子当接面５２ａに当接し、電気部品４１ｂが素子当接面５２ｂに当接する。
【００６８】
製品に電源を入れた際には、電気部品４１ａ、電気部品４１ｂから発生した熱が前ダクト５０に伝熱する。
【００６９】
ファン７０を前ダクト５０に固定した後、前ダクト５０と後ダクト６０の外周を合わせるようにネジ等で接合することでダクト部８００を形成し、Ｒ側の開口部がダクト吸気口１２１となり、Ｌ側の開口部がダクト排気口１２０となる。ダクト吸気口１２１とダクト排気口１２０以外の周囲は密閉される。
【００７０】
図６に示すように、ダクト排気口１２０は本体排気口１２と開口形状及び位置があっている。ダクト吸気口１２１は本体吸気口２２と開口形状及び位置があっている。
【００７１】
≪スピーカーの固定≫
前述したように前ダクト５０の面５３は前記面５２に対し、背面側に一段下がった位置に形成される。
【００７２】
面５３には放音穴５３ｃが穿設され、放音穴５３ｃの上下にはボス５３ａ、ボス５３ｂが突設される。
【００７３】
スピーカー１１０は放音面１１０ａを放音穴５３ｃに合わせる。スピーカー固定板金１１１がネジ１１２とネジ１１３で前ダクト５０に固定される。この時、スピーカー固定板金１１１と面５３で前記スピーカー１１０を挟着させる。
【００７４】
≪ジャックの配置≫
外観カバーの本体排気口１２から内部に延びたリブ１２ａがダクト排気口１２０と当接する。リブ１２ａの前側にヘッドフォン端子８、ＨＤＭＩ端子９、ＵＳＢ端子１０、外部電源端子１１の外部端子類が上下方向に配列する。前記スピーカー１１０は面５３と前記外部端子類とメイン基板４０に囲まれた部分に備えられる。
【００７５】
≪スピーカーの動作≫
図１０に、スピーカー１１０の動作制御を示す。
【００７６】
モード切り替え部７ａのつまみは前後にスライド可能であり、前側が記録モード、後ろ側が再生モードとなっている。
【００７７】
『電源オン』Ｓ１を経て、モード切り替え部７ａを操作して、『モード選択』Ｓ２において『記録』Ｓ３もしくは『再生』Ｓ７を選択する。
【００７８】
『記録』Ｓ３が選択されると『ファンの動作を開始』Ｓ４に移行する。そこで、後述する『キャンセル音が自動選択される』Ｓ５を経て、『スピーカーからキャンセル音を放音』Ｓ６に至る。
前記『モード選択』Ｓ２において『再生』Ｓ７を選択した場合は『ファンは動作しない』Ｓ８となり、『画像再生時に再生音を放音』Ｓ９となる。
【００７９】
前述の『キャンセル音が自動選択される』Ｓ５の詳細を図１１に示す
『ファンの動作を開始』Ｓ４を経て、『初期設定の回転数でファンを駆動』Ｓ１１でファンを回し始める。
【００８０】
メイン基板４０には図示しない温度検出素子を備えており、基板温度を任意の間隔でモニターしている。『基板温度を取得』Ｓ１２から、『温度テーブルチェック』Ｓ１３に移行する。
【００８１】
図１３に、温度テーブルを示す。
【００８２】
基板温度Ｈ１に応じたファン回転数Ｈ２で回すことが設定されている。『回転数設定』Ｓ１４を経て温度が高い場合は回転数を上げて、放熱能力を増す。温度が低い場合は低い回転数にて静かに放熱を行う。前述の初期設定の回転数はｎｉで設定されている。
【００８３】
製品開発時に、ファン回転数毎のファン音の周波数や音圧は把握できている。
【００８４】
そこから、回転数毎のキャンセル音Ｈ３を条件ごとに内蔵記録している。
【００８５】
キャンセル音Ｈ３は、例えば、あらかじめダクト内のファンの音を所定の周期にわたって集音してデジタル信号に変換し、このデジタル信号の位相を反転させたものである。
【００８６】
前記『スピーカーからキャンセル音を放音』Ｓ６において、その時のファン回転数からキャンセル音Ｈ３のＣ１〜Ｃ３が選択され、最適なキャンセル音を放音する。
【００８７】
図１２に、記録中にヘッドフォンを接続した際の制御を示す。
【００８８】
『記録モードを選択』Ｓ３０後、『ファンの動作を開始』Ｓ３１に移行する。
【００８９】
『ヘッドフォンジャックの状態を検出』Ｓ３２にて、ヘッドフォンプラグがヘッドフォン端子８に挿入された場合には、『プラグの挿入を検出』Ｓ３３に移行する。この時、『ファンのキャンセル音をスピーカーから放音する』Ｓ３４と『記録音をヘッドフォンから放音する』Ｓ３５という動作を行う。ここでも前述のファン回転数に応じたキャンセル音が放音される。
【００９０】
『プラグ未挿入を検出』Ｓ３６の場合は『ファンのキャンセル音をスピーカーから放音する』Ｓ３７に移行する。
【００９１】
≪まとめ≫
以上説明したように、本実施の形態によれば、カメラ１の外装部にスピーカー１１０を固定するスペースを必要としない為、製品の小型化に有利な構造となる。
【００９２】
また、外装部にスピーカー１１０を固定しないため、スピーカーの振動によって外装のボタンが外装カバーとの間で発生するびびり音を防ぐ。
【００９３】
スピーカー１１０はダクト部の内面側に向けて放音し、スピーカー音は本体排気口１２から放音されるが、本体排気口１２は十分に大きな開口であるため、音が外に放出されやすい。
【００９４】
さらに記録時においてはファン音のキャンセル音を放音するのだが、排気の空気の流れに乗せる事が出来るので、ファン騒音のキャンセルにも最適な位置となっている。
【００９５】
以上本発明に係る実施形態をその好適な実施形態において詳述してきたが、本発明はこれら特定の実施形態に限られるものではなく、この発明の趣旨を逸脱しない範囲のさまざまな形態も本発明実施形態に含まれる。
【符号の説明】
【００９６】
１  カメラ、２  本体部、３  把持部、４  接続部、５  レンズ外装部、
６  一部円筒形状部、７ａ  モード切り替え部、７ｂ  電源ボタン、７ｃ  操作部、
８  ヘッドフォン端子、９  ＨＤＭＩ端子、１０  ＵＳＢ端子、１１  外部電源端子、
１２  本体排気口、１２ａ  リブ、１４  アクセサリーシュー、
１５，１６  ストラップ金具、１７  ＺＯＯＭリング、１８  フォーカスリング、
１９  表示部、２０  カード蓋、２１  画像表示部、２２  本体吸気口、
３０  レンズ部、３１  撮像素子、３２  撮像基板、３３  ワイヤー、
４０  メイン基板、４１ａ  電気部品、４１ｂ  電気部品、５０  前ダクト、
５１  放熱リブ、５２  面、５２ａ  素子当接面、５２ｂ  素子当接面、５３  面、
５３ａ  ボス、５３ｂ  ボス、５３ｃ  放音穴、５５ａ  ボス、５５ｂ  ボス、
５５ｃ  ボス、５５ｄ  ボス、６０  後ダクト、７１  ファン吸気口、
７２  ファン排気口、７０  ファン、７３  放熱フィン、８０  風の流れを示す矢印、
９０  マイク部、１００ａ  ねじ、１００ｂ  ねじ、１００ｃ  ねじ、１００ｄ  ねじ、
１１０  スピーカー、１１０ａ  放音面、１１１  スピーカー固定板金、１１２  ネジ、
１１３  ネジ、１２０  ダクト排気口、１２１  ダクト吸気口、
１３０  トリガーボタン、２１０  画像表示部、５０２  メイン撮像部、
５０３  カメラ信号処理部、５０４  圧縮伸張処理部、５０６  記録再生処理部、
５０７  カード制御部、５０８  大容量内部メモリー制御部、５１０  音声信号処理部、
５１１  メモリー、５１２  メモリー制御部、５１４  操作部、５１６  入出力部、
５１７  電源制御部、５１８  データバス、５１９  メモリーカード、
５２０  大容量内蔵メモリー、５２１  外部装置、５２２  外部装置、
５２３  バッテリー、５２４  受信部、５２４  ＧＰＳ受信部、
５２５  ＧＰＳ信号処理部、５１３  ＣＰＵ、５１５  デジタルＩ／Ｆ、
６００  スピーカー制御部、８００  ダクト部、Ｓ１  『電源オン』、
Ｓ２  『モード選択』、Ｓ３  『記録』、Ｓ４  『ファンの動作を開始』、
Ｓ５  『キャンセル音が自動選択される』、
Ｓ６  『スピーカーからキャンセル音を放音』、Ｓ７  『再生』、
Ｓ８  『ファンは動作しない』、Ｓ９  『画像再生時に再生音を放音』、
Ｓ１１  『初期設定の回転数でファンを駆動』、Ｓ１２  『基板温度を取得』、
Ｓ１３  『温度テーブルチェック』、Ｓ１４  『回転数設定』、Ｈ１  基板温度、
Ｈ２  ファン回転数、Ｈ３  キャンセル音、Ｓ３０  『記録モードを選択』、
Ｓ３１  『ファンの動作を開始』、Ｓ３２  『ヘッドフォンジャックの状態を検出』、
Ｓ３３  『プラグの挿入を検出』、
Ｓ３４  『ファンのキャンセル音をスピーカーから放音する』、
Ｓ３５  『記録音をヘッドフォンから放音する』、Ｓ３６  『プラグ未挿入を検出』、
Ｓ３７  『ファンのキャンセル音をスピーカーから放音する』
【図１】
2017032884.tif 000003
【図２】
2017032884.tif 000004
【図３】
2017032884.tif 000005
【図４】
2017032884.tif 000006
【図５】
2017032884.tif 000007
【図６】
2017032884.tif 000008
【図７】
2017032884.tif 000009
【図８】
2017032884.tif 000010
【図９】
2017032884.tif 000011
【図１０】
2017032884.tif 000012
【図１１】
2017032884.tif 000013
【図１２】
2017032884.tif 000014
【図１３】
2017032884.tif 000015